(57)【特許請求の範囲】
【請求項１】
便鉢部及び中空に形成される台座部を有し、前記便鉢部の下方であって前記台座部の内側に収容空間が形成され、前記台座部の部分であって前記収容空間を形成する壁の内側面に開口部が形成される便器と、
前記便鉢部及び前記台座部とは別体であり、前記収容空間に前記開口部に一部が入ることが可能なように配置される便器構成機器と、
を備える便器装置。
【請求項２】
前記開口部は、前記便器構成機器の一部が入ることにより前記壁と前記便器構成機器との干渉が生じない形態で形成されている請求項１に記載の便器装置。
【請求項３】
前記壁に取り付けられる固定具を備え、
前記便器構成機器は、前記固定具を介して前記壁に支持固定される請求項１又は２に記載の便器装置。
【請求項４】
前記収容空間に位置する前記便器構成機器を外気と隔離するように前記壁の間に設置される防露材を備える請求項１から３の何れかに記載の便器装置。
【請求項５】
前記開口部は複数形成される請求項１から４の何れかに記載の便器装置。
【請求項６】
前記便器構成機器は、蓄圧装置である請求項１から５の何れかに記載の便器装置。
【発明の詳細な説明】
【技術分野】
【０００１】
本発明は、便器の内側に便鉢及び台座部とは別体の便器構成機器を配置する便器装置に関する。
【背景技術】
【０００２】
従来、便器装置において、蓄圧容器、タンク、ポンプ、電子機器等の便器構成機器を便器の内部に収容するレイアウトが知られている。この種の便器装置を開示するものとして例えば特許文献１や特許文献２がある。特許文献１には、蓄圧装置をデッドスペースである固定プレートの後部の下方に配置することが記載されている。特許文献２には、蓄圧装置の蓄圧容器が、水洗大便器の内部の便鉢部及びトラップ部の下方に配置されていることが記載されている。
【先行技術文献】
【特許文献】
【０００３】
【特許文献１】特許第４５１５５２７号公報
【特許文献２】特開２００６−２４１６９８号公報
【発明の概要】
【発明が解決しようとする課題】
【０００４】
ところで、便器の内側に配置される便器装置を構成する機器の中には、所定方向に長いものがある。例えば、特許文献１や特許文献２に開示されるような蓄圧容器は、加圧手段が内蔵されることに加えて水を貯留する必要があるため、その全長が長くなっている。便鉢下部のスペースがデッドスペースとなっていたが、蓄圧容器のようなサイズの便器構成機器を配置する収容空間としては充分ではなかった。特に、便器は前側が狭まるように構成されていることが多く、便鉢部の下方のスペースを有効活用するという点で改善の余地があった。
【０００５】
本発明は、便器内部の空間を有効に活用し、ポンプ、タンク、蓄圧装置、電子機器等の便器構成機器の設置スペースを充分に確保できる便器装置を提供することを目的とする。
【課題を解決するための手段】
【０００６】
本発明は、便鉢部（例えば、後述の便鉢部２１）及び台座部（例えば、後述の台座部２２）を有し、前記便鉢部の下方であって前記台座部の内側に収容空間（例えば、後述の収容空間１００）が形成され、前記収容空間を形成する壁（例えば、後述の陶器壁７０）には開口部（例えば、後述の左側開口部７２１及び右側開口部７３１）が形成される便器と、前記便鉢部及び前記台座部とは別体であり、前記収容空間に前記開口部に一部が入ることが可能なように配置される便器構成機器（例えば、後述の蓄圧装置４０、ポンプ、タンク、電子機器等）と、を備える便器装置（例えば、後述の便器装置１，２０１）に関する。
【０００７】
前記便器装置は、陶製の前記壁に取り付けられる固定具（例えば、後述の固定金具６０）を備え、前記便器構成機器は、前記固定具を介して前記壁に支持固定されることが好ましい。
【０００８】
前記便器装置は、前記収容空間に位置する前記便器構成機器を外気と隔離するように前記壁の間に設置される防露材（例えば、後述の防露材２１０）を備えることが好ましい。
【０００９】
前記開口部は複数形成されることが好ましい。
【００１０】
前記便器構成機器は、蓄圧装置（例えば、後述の蓄圧装置４０）であることが好ましい。
【発明の効果】
【００１１】
本発明の便器装置によれば、便器内部の空間を有効に活用し、ポンプ、タンク、蓄圧装置、電子機器等の便器構成機器の設置スペースを充分に確保できる。
【図面の簡単な説明】
【００１２】
【図１】本発明の一実施形態に係る便器装置１を示す斜視図である。
【図２】本実施形態の便器装置１に内蔵される蓄圧装置４０を示す斜視図である。
【図３】本実施形態の便器装置１の内部を示す底面図である。
【図４】本実施形態の蓄圧装置４０を示す斜視図である。
【図５】本実施形態の便器装置１の側面断面図である。
【図６】本実施形態の蓄圧装置４０が固定金具６０に連結されている様子を示す斜視図である。
【図７】固定金具６０に取り付けられる前の蓄圧装置４０を示す斜視図である。
【図８】固定金具６０を介して取り付けられる蓄圧装置４０を前側から示す図である。
【図９】変形例の便器装置２０１の側面断面図である。
【発明を実施するための形態】
【００１３】
以下、本発明の好ましい実施形態について、図面を参照しながら説明する。図１は、本発明の一実施形態に係る便器装置１を示す図である。なお、以下の説明においては、便器装置１の便座（図示省略）に座った人から視た場合の前後の向きを前後方向とする。また、便器装置１の便座（図示省略）に座った人から視た場合の左右の向きを左右方向とする。また、鉛直方向に沿った上下の向きを上下方向とする。
【００１４】
図１及び図２に示すように、本実施形態の便器装置１は、陶器製の便器２と、便座（図示省略）と、便蓋３と、機能部４と、を備える。便座（図示省略）及び便蓋３は、便器２の上方において、便器２に対して回動可能に取り付けられる。
【００１５】
機能部４は、便器２の後部の上部に配置される。機能部４は、機能部材（図示省略）と、機能部材を覆うカバー部材６と、を有する。機能部材としては、例えば、図示を省略するが、ホースや、洗浄ノズルや、電源ユニットや、制御回路基板や、便座（図示省略）及び便蓋３を電動で開閉させる電動開閉ユニットや、バルブユニットや、各種配管等が挙げられる。
【００１６】
便器２は、その全体が衛生陶器で構成される。図２は、本実施形態の便器装置１に内蔵される蓄圧装置４０を模式的に示した図である。図２に示すように、便器２の内部には、床面から接続される排水管５の前方に蓄圧装置４０が配置される。
【００１７】
図３は、本実施形態の便器装置１の内部を示す底面図である。図４は、本実施形態の蓄圧装置４０を示す斜視図である。図５は、本実施形態の便器装置１の側面断面図である。図３から図５に示すように、本実施形態の便器２は、便鉢部２１及び台座部２２を備える。
【００１８】
便鉢部２１は、トラップ部２５を介して排水管５に接続されている。台座部２２は、便鉢部２１の外周を囲うスカート状に構成される。便器２の内部には、便鉢部２１の下方であって台座部２２の内側に収容空間１００が形成される。
【００１９】
収容空間１００は、台座部２２の内側であって便鉢部２１の下方に形成される。収容空間１００は、その前後左右が陶器壁７０によって囲まれるスペースであり、便器構成機器としての蓄圧装置４０が配置される。蓄圧装置４０は、収容空間１００における排水管５の前方に位置する。なお、便器構成機器とは、便鉢部２１及び台座部２２とは別体であって便器２に設けられるものであり、蓄圧装置４０の他、洗浄水装置としてのポンプ、洗浄水を貯留するタンク、機能部４や外部と電気的に接続される電子機器等もこれに含まれるものとする。以下の説明では、蓄圧装置４０を便器構成機器の例として説明する。
【００２０】
陶器壁７０は、その内部が中空に形成されており、便鉢部２１を囲う台座部２２を構成する。以下の説明において、陶器壁７０において、収容空間１００の前側に位置する部位を前側陶器壁７１、収容空間１００の左側に位置する部位を左側陶器壁７２、収容空間１００の右側に位置する部位を右側陶器壁７３として説明する。
【００２１】
前側陶器壁７１は、台座部２２の前部を形成しており、中空に形成される中空壁である。この前側陶器壁７１の内側面には、蓄圧装置４０を取り付けるための固定金具６０が固定される。本実施形態では、固定金具６０は前側陶器壁７１の平面部分（断面視では直線の部分）に取り付けられる。
【００２２】
左側陶器壁７２には左側開口部７２１が形成されるとともに、右側陶器壁７３には右側開口部７３１が形成される。本実施形態の左側開口部７２１及び右側開口部７３１は、何れも陶器壁７０の中空部に連通している。
【００２３】
蓄圧装置４０は、貯留した洗浄水の水圧を蓄圧して洗浄の補助に用いる便器構成機器である。蓄圧装置４０は、その一部が左側開口部７２１及び右側開口部７３１の少なくも何れかに入るように、収容空間１００に配置される。例えば、図３に示す底面視において、左側開口部７２１及び右側開口部７３１に蓄圧装置４０が重なるように配置される。
【００２４】
左側開口部７２１及び右側開口部７３１によって、左右方向の長さが長いものでも、便鉢部２１の下方であって台座部２２の内側に配置することが可能になっている。特に、便器２のように、平面視において前側に進むにつれてその幅が狭まる形状では収容スペースが限られてしまうが、左側開口部７２１及び右側開口部７３１によって陶器壁７０に干渉させることなく蓄圧装置４０を配置することが可能になっている。
【００２５】
蓄圧装置４０の構成について説明する。本実施形態の蓄圧装置４０は、洗浄水が貯留される蓄圧容器４１と、蓄圧容器４１の側面に巻き回される装置防露材４３と、蓄圧容器４１を便器２の内部に固定するための装置側金具５０と、を備える。
【００２６】
蓄圧容器４１は、その内部にスプリング等で構成される加圧手段（図示省略）が収容される。本実施形態の蓄圧容器４１は、略円柱状に形成されており、その長手方向を左右方向（略水平方向）に向けた姿勢で便器２の内部に配置される。
【００２７】
蓄圧容器４１には、給水源（図示省略）に接続される配管４５を通じて洗浄水が供給され、蓄圧される。配管４５の先にはバルブ（図示省略）が配置されており、該バルブの切替によって洗浄水の流れが制御される。便鉢部２１側に洗浄水を供給する場合も同じ配管４５を通じて送られる。このように、配管４５は、蓄圧容器４１に洗浄水を送るための経路として機能するとともに、蓄圧容器４１から加圧した洗浄水を便鉢部２１側に送る経路としても機能する。
【００２８】
装置防露材４３は、蓄圧容器４１の周面の一部に貼り付けられる。装置防露材４３は、例えば、発泡スチロールのような材料で構成され、外部と熱のやりとり断絶することで、蓄圧容器４１の外面に結露が生じる事態を防止する。
【００２９】
装置側金具５０について説明する。本実施形態では、蓄圧装置４０は、後述する固定金具６０を介して陶器壁７０（前側陶器壁７１）に支持固定される。装置側金具５０は、蓄圧容器４１の外側面の前側に設けられ、固定金具６０に連結する部分となる。
【００３０】
本実施形態の装置側金具５０は、板状の係合本体部５１と、係合本体部５１の上部に配置される被係合部５２と、係合本体部５１の下部に配置される装置側締結部５３と、被係合部５２と装置側締結部５３の間に配置される中間突起５４と、を備える。
【００３１】
次に、固定金具６０の構成について説明する。図６は、本実施形態の蓄圧装置４０が固定金具６０に連結されている様子を示す斜視図である。図７は、固定金具６０に取り付けられる前の蓄圧装置４０を示す斜視図である。
【００３２】
図６及び図７に示すように、固定金具６０は、平板状の固定金具本体６１と、固定金具本体６１の上部に形成される係合部６２と、固定金具本体６１の下部に形成される金具側締結部６３と、を備える。
【００３３】
固定金具本体６１は、ボルト９０によって陶器壁７０に締結される部位である。本実施形態では、前側陶器壁７１における固定金具６０を取り付ける位置には、ボルト９０を締結するための複数の反転ナット９１がアンカー部材として水平方向に埋設される。
【００３４】
図８は、固定金具６０を介して取り付けられる蓄圧装置４０を前側から示す図である。図８に示すように、反転ナット９１は、上方に２箇所、下方に１箇所の計３つが前側陶器壁７１に埋設される。反転ナット９１は、前側から見たときにちょうど三角形の頂点に対応する位置に配置されている。
【００３５】
図６及び図７に示すように、係合部６２は、側面視において、固定金具本体６１の上部から後方（蓄圧装置４０側）に突出した後、上方に屈曲し、その後、若干後側に傾斜しながら上方に延びる形状となっている。一方、蓄圧装置４０側の被係合部５２は、係合本体部５１の上部から前側に突出した後、下方に屈曲して固定金具６０の係合部６２に上から覆い被さるように形成されている。被係合部５２が係合部６２に被さるように嵌合することで、固定金具６０と装置側金具５０の上部が連結される状態となる。即ち、被係合部５２は、装置側金具５０の上側の連結部である。
【００３６】
金具側締結部６３は、側面視において、固定金具本体６１の下部から後方（蓄圧装置４０側）に突出している。一方、蓄圧装置４０側の装置側締結部５３は、係合本体部５１の下部から前側に突出し、連結状態では金具側締結部６３の下面に重なってビス５５の受け面となる。金具側締結部６３の下面に装置側締結部５３の上面が対面している状態でビス５５が締結されることにより、固定金具６０と装置側金具５０の下部が連結される状態となる。即ち、被係合部５２は、装置側金具５０の下側の連結部である。
【００３７】
中間突起５４は、装置側金具５０における上下方向の中央から前方に突出している。固定金具６０と装置側金具５０が上下２箇所で連結されている状態で固定金具本体６１に接触する。本実施形態の中間突起５４は、板状の部分を折り曲げ形成されており、端面の部分が固定金具本体６１に接触することで、接触面積を水平方向で広く確保されている。
【００３８】
以上説明した固定金具６０に蓄圧装置４０が固定されることによって、蓄圧装置４０が強度のある陶器壁７０に安定的に支持された状態となる。図８に示すように、蓄圧装置４０は、その左右方向の中央部分が固定金具６０を介して支持されており、左右のバランスという観点からも安定的な支持となっている。そして、背面視においても蓄圧装置４０が陶器壁７０に干渉していないことがわかる。
【００３９】
本実施形態の蓄圧装置４０（蓄圧容器４１）の固定位置及びその周囲の空間について説明する。図５に示すように、蓄圧装置４０の上方は上下方向に係合可能なようにスペースが形成されている。また、蓄圧装置４０は床に接しないように固定されており、その下方にはスペースが形成される。このスペースを利用して防露材を配置することができる（第２実施形態の防露材２１０参照）。また、蓄圧装置４０は、便器２の前後方向の中央より前側であって、トラップ部２５よりも下側に位置する。
【００４０】
次に、固定金具６０を介して陶器壁７０に蓄圧装置４０を支持固定する作業の一例について説明する。この例では、便器２を裏返しにして上下逆さまにした状態で作業を行うものとする。まず、反転ナット９１を陶器壁７０に埋設してボルト９０によって固定金具６０を陶器壁７０に取り付ける。次に、固定金具６０の係合部６２に蓄圧装置４０（装置側金具５０）の被係合部５２を被せるようにして係合部６２と被係合部５２を連結する。そして、装置側締結部５３から金具側締結部６３を締結する締結部材としてのビス５５を締結し、上下２箇所を連結する。係合部６２と被係合部５２の係合時に中間突起５４が固定金具６０に接触することにより、よじれるようなガタつき等が防止され、締結作業もスムーズに行うことができる。なお、ここでは便器２を裏返しにして蓄圧装置４０を陶器壁７０に支持固定させる例を説明したが、裏返しにすることなく、下方から取り付ける作業とした場合にも、係合部６２と被係合部５２の係合を利用できるので、同様に作業効率を向上させることができる。このように、係合を利用することや上下で連結されていることにより、固定部材としての固定金具６０を２か所以上設けなくても蓄圧装置４０を便器２の内側で安定的に保持することが可能となっている。なお、上述の締結部材としては、ビス５５に限られずボルト等、他の種類のものを用いることもできる。
【００４１】
以上説明した実施形態によれば、以下のような効果を奏する。
便器装置１は、便鉢部２１及び台座部２２を有し、便鉢部２１の下方であって台座部２２の内側に収容空間１００が形成され、収容空間１００を形成する内壁としての陶器壁７０（左側陶器壁７２、右側陶器壁７３）には左側開口部７２１及び右側開口部７３１がそれぞれ形成される便器２と、便鉢部２１及び台座部２２とは別体であり、収容空間１００に左側開口部７２１及び右側開口部７３１の少なくとも何れかに一部が入ることが可能なように配置される便器構成機器としての蓄圧装置４０と、を備える。
【００４２】
これにより、蓄圧装置４０のように比較的大きな設置スペースが必要な便器構成機器を便器２の内部に配置する必要がある場合であっても、左側開口部７２１及び右側開口部７３１に蓄圧装置４０の一部を入れ込むことにより、蓄圧装置４０と陶器壁７０を干渉させることなく、便器装置１の便鉢部２１の下方に形成されるスペース（収容空間１００）を利用して便器２の内側に蓄圧装置４０を納めることができる。
【００４３】
本実施形態の便器装置１は、陶器壁７０（前側陶器壁７１）に取り付けられる固定金具６０を備え、蓄圧装置４０は、固定金具６０を介して陶器壁７０に支持固定される。
【００４４】
これにより、便器装置１の便鉢部２１の下方に形成されるスペース（収容空間１００）を有効に活用しつつ、便器構成機器としての蓄圧装置４０を強度のある陶器壁７０によって安定的に収容空間１００に保持することができる。また、機能部４を構成するような樹脂製の部材に取り付ける場合に比べ、振動耐性の点からも有利である。そして、蓄圧装置４０を陶器壁７０に支持するための作業が固定金具６０を利用できるので、蓄圧装置４０を内部に固定する作業も容易に行うことができる。
【００４５】
本実施形態の開口部（左側開口部７２１及び右側開口部７３１）は複数形成される。
【００４６】
これにより、開口部を１つの大きな開口にするより複数にすることで便器２の強度を低下させることなく、便器構成機器としての蓄圧装置４０を陶器壁７０に干渉させずに便器２の内側に納めることができる便器装置１の構成を実現できる。
【００４７】
本実施形態の便器構成機器は、蓄圧装置４０である。これにより、加圧手段が内蔵されることに加えて水を貯留する必要があるため、そのサイズが比較的大きい蓄圧装置４０についても、左側開口部７２１及び右側開口部７３１を利用することで便鉢部２１の下方のスペースを設置スペースとして活用することができる
【００４８】
次に、変形例の便器装置２０１について説明する。図９は、変形例の便器装置２０１の側面断面図である。図９に示すように、変形例の便器装置２０１は、便器２の内部に蓄圧装置４０の下方に防露材２１０が配置される点が上記実施形態と異なっている。防露材２１０は、便器２の収容空間１００の蓄圧装置４０の下側をカバーするように配置される。この防露材２１０によって、収容空間１００における蓄圧装置４０が位置する側の空間が外部から密閉されたような状態となり、外気から隔離される。なお、本実施形態では、左側開口部７２１及び右側開口部７３１よりも下方に防露材２１０が配置される。また、防露材２１０は、蓄圧装置４０への配管を通すために便器２の内側に形成される開口８０や配管も塞ぐように配置されている。
【００４９】
即ち、変形例の便器装置２０１は、収容空間１００に位置する便器構成機器としての蓄圧装置４０を外気と隔離するように陶器壁７０の間に設置される防露材２１０を備える。
【００５０】
これにより、防露材２１０によって収容空間１００の蓄圧装置４０と外部が隔離されるので、外気の影響を抑制して蓄圧装置４０の結露が生じる事態を効果的に防止できる。従って、比較的熱伝導性が高い金属で構成される固定金具６０を介して陶器壁７０に蓄圧装置４０を支持固定させる場合でも、その影響を低減でき、結露によって水滴が床に落ちて溜まってしまう事態も効果的に防止できる。
【００５１】
防露材２１０は、左側開口部７２１及び右側開口部７３１よりも下方に設けられる。また、空気を抜く機構（図示省略）は、防露材２１０によって密閉される空間の外側で空気を抜く処理を行わせることが好ましい。
【００５２】
以上、本発明の好ましい実施形態及び変形例について説明したが、本発明は、上述の実施形態に制限されるものではなく、適宜変更が可能である。例えば、上記実施形態では、便器構成機器として、蓄圧装置４０を例に説明したが、洗浄水を送るポンプやタンク等の洗浄水装置や、上記実施形態の機能部４等に電気的に接続される電子機器等を便器構成機器として便器２の内部に配置することができる。
【００５３】
上記実施形態では、前側、側面、後側等、その配置場所は適宜変更することができる。例えば、蓄圧装置４０が空間の左右方向に位置する左側陶器壁７２又は右側陶器壁７３に支持固定される構成としてもよい。この場合、陶器壁に形成される開口部も、前側陶器壁又は後方に位置する後側陶器壁等、異なる場所に形成することができる。
【００５４】
上記実施形態では、中空の陶器壁７０を例に説明したが、中実の陶器壁にすることもできる。
【００５５】
上記実施形態では、蓄圧装置４０は、固定金具６０介して陶器壁７０に支持固定される構成であるが、固定金具６０を省略して陶器壁７０に便器構成機器としての蓄圧装置４０を直接固定する構成や床面に下部を支持させながら収容空間１００に配置する構成とすることもできる。
【００５６】
上記実施形態では、便器構成機器としての蓄圧装置４０が固定状態で開口部（左側開口部７２１及び右側開口部７３１）に入るように構成されているが、この構成に限定されず、本発明は、便器構成機器を取り付ける際にだけ該便器構成機器が開口部に入る場合も含まれるものとする。
【００５７】
上記実施形態では、中間突起５４は蓄圧装置４０側に配置される構成であるが、固定金具６０側から便器構成機器としての蓄圧装置４０側に突出し、連結状態で蓄圧装置４０に接触可能な中間突起を備える構成に変更することもできる。
【００５８】
上記実施形態では、係合部６２に被係合部５２を係合させる構成としているが、係合部６２又はその付近をビス固定する構成とすることもできる。
【符号の説明】
【００５９】
１，２０１  便器装置
２  便器（陶器製便器）
２１  便鉢部
２２  台座部
４０  蓄圧装置（便器構成機器）
５２  被係合部
５３  締結部
５４  中間突起
６０  固定金具（固定具）
６２  係合部
７０  陶器壁（壁）
７１  前側陶器壁（壁）
７２  左側陶器壁（壁）
７３  右側陶器壁（壁）
１００  収容空間
２１０  防露材
７２１  左側開口部（開口部）
７３１  右側開口部（開口部）
【図１】
0006750960.tif 000002
【図２】
0006750960.tif 000003
【図３】
0006750960.tif 000004
【図４】
0006750960.tif 000005
【図５】
0006750960.tif 000006
【図６】
0006750960.tif 000007
【図７】
0006750960.tif 000008
【図８】
0006750960.tif 000009
【図９】
0006750960.tif 000010